【手続補正書】
【提出日】平成26年9月1日(2014.9.1)
【手続補正１】
【補正対象書類名】特許請求の範囲
【補正対象項目名】全文
【補正方法】変更
【補正の内容】
【特許請求の範囲】
【請求項１】
短距離ワイヤレスネットワーク内の局(STA)の位置特定を円滑にするための装置であって、
無線周波数(RF)インターフェースと、
前記RFインターフェースに結合されたメディアアクセス制御(MAC)セクションと、
を備え、
前記MACセクションが、
前記STAからの測定関連通信の要求を、前記RFインターフェースを介して受信し、
受信した前記要求に対する自動応答を生成し、前記装置と、前記ネットワーク内の前記装置のうち他のどの装置との間でも一様であるように確立される一様な期間の直後に、前記RFインターフェースを介して送信し、
前記自動応答は、位置特定のためのラウンドトリップタイム(RTT)を生成するためのものであり、
前記自動応答の生成のみが実施されるように構成されていることを特徴とする装置。
【請求項２】
前記測定関連通信の前記要求が、ラウンドトリップタイム(RTT)測定関連通信を求める要求を含み、前記自動応答が前記RTT測定関連通信を形成する、請求項1に記載の装置。
【請求項３】
前記MACセクションがハードウェアMACセクションを含む、請求項1に記載の装置。
【請求項４】
前記RFインターフェースが、送信帯域周波数をデジタルベースバンド周波数にコンバートするように構成された周波数コンバージョンセクションを含む、請求項1に記載の装置。
【請求項５】
前記送信帯域周波数が802.11送信帯域を含む、請求項4に記載の装置。
【請求項６】
前記RFインターフェースが、デジタルベースバンド周波数を送信帯域周波数にコンバートするように構成された周波数コンバージョンセクションを含む、請求項1に記載の装置。
【請求項７】
前記送信帯域周波数が802.11送信帯域を含む、請求項6に記載の装置。
【請求項８】
前記自動応答が、追加ロケーション情報を含む、リソースに関連付けられた統一リソース識別子(URI)を含む、請求項1に記載の装置。
【請求項９】
前記自動応答が位置特定基準を含む、請求項1に記載の装置。
【請求項１０】
前記位置特定基準が、前記装置のロケーションに関連付けられた(x,y)座標ペアを含み、前記自動応答が前記(x,y)座標ペアを含む、請求項9に記載の装置。
【請求項１１】
前記自動応答が、前記測定関連通信を求める前記要求の確認応答(ACK)を含み、前記ACKが前記測定関連通信を形成する、請求項1に記載の装置。
【請求項１２】
短距離ワイヤレスネットワーク内で位置特定を行うための装置であって、
測定関連通信を求める、局(STA)からの要求を受信し、前記測定関連通信を求める前記要求への自動応答を送信するためのトランシーバ手段であって、前記自動応答は、位置特定のためのラウンドトリップタイム(RTT)を生成するためのものである手段と、
前記トランシーバ手段に結合されたメディアアクセス制御(MAC)手段と、
を備え、前記MAC手段が、
前記装置および前記要求の要求タイプに関連付けられた識別子に基づいて認識される、前記測定関連通信を求める前記要求を認識し、
前記トランシーバ手段に、前記要求の認識に関連した一様な期間の直後に、自動応答を生成させ、前記一様な期間は、前記装置において、およびネットワーク内の前記装置のうち他のどの装置においても一様であり、
前記トランシーバ手段は、前記自動応答のみ生成することを特徴とする装置。
【請求項１３】
前記測定関連通信を求める前記要求が、ラウンドトリップタイム(RTT)測定関連通信を求める要求を含む、請求項12に記載の装置。
【請求項１４】
前記トランシーバ手段がさらに、802.11送信帯域上で送信するため、および受信するための少なくとも一方である、請求項12に記載の装置。
【請求項１５】
前記自動応答が、追加ロケーション情報を含む、リソースに関連付けられた統一リソース識別子(URI)を含む、請求項12に記載の装置。
【請求項１６】
前記MAC手段がさらに、前記トランシーバ手段に、ロケーション情報を含む、リソースに関連付けられた統一リソース識別子(URI)をビーコンメッセージに入れて送信させるためのものである、請求項12に記載の装置。
【請求項１７】
前記MAC手段がさらに、前記トランシーバ手段に、前記装置のロケーションに関連付けられた(x,y)座標ペアをビーコンメッセージに入れて送信させるためのものである、請求項12に記載の装置。
【請求項１８】
前記自動応答が、前記装置のロケーションに関連付けられた(x,y)座標ペアを含む、請求項12に記載の装置。
【請求項１９】
前記自動応答が、前記測定関連通信を求める前記要求の確認応答(ACK)フレームを含み、前記ACKフレームが前記測定関連通信を形成する、請求項12に記載の装置。
【請求項２０】
前記自動応答がビーコンフレームを含み、前記MAC手段がさらに、前記ビーコンフレームを使ってキャリア検知機構およびバックオフ機構の一方を実装するためのものである、請求項12に記載の装置。
【請求項２１】
短距離ワイヤレスネットワーク内で位置特定を行うための方法であって、
前記短距離ワイヤレスネットワーク内の複数の専用ネットワーク装置での測定関連通信を求める、局(STA)からの要求を受信するステップと、
前記複数の専用ネットワーク装置での前記測定関連通信を求める前記要求を認識するステップと、
前記複数の専用ネットワーク装置それぞれに関連する一様な処理遅延の直後に、前記複数の専用ネットワーク装置から自動応答を前記局へ送信するステップであって、前記自動応答は、位置特定のためのラウンドトリップタイム(RTT)を生成するためのものであるステップと、
前記複数の専用ネットワーク装置からの、対応する前記自動応答のそれぞれの異なる到着時間に基づいて、前記STAを位置特定するステップと、
を含む方法。
【請求項２２】
前記STAの前記位置特定が、前記複数の専用ネットワーク装置のうち対応する3つからの異なる3つの到着時間を使って前記STAを三辺測量するステップを含む、請求項21に記載の方法。
【請求項２３】
前記自動応答が、追加ロケーション情報を含む、リソースに関連付けられた統一リソース識別子(URI)を含む、請求項21に記載の方法。
【請求項２４】
前記自動応答が、前記複数の専用ネットワーク装置のうち前記対応するもののロケーションに関連付けられた(x,y)座標ペアを含む、請求項21に記載の方法。
【請求項２５】
前記自動応答が、前記測定関連通信を求める前記要求の確認応答(ACK)を含み、前記ACKが前記測定関連通信を形成する、請求項21に記載の方法。
【請求項２６】
短距離ワイヤレスネットワーク内で位置特定を行うための命令を記録するコンピュータ可読記録媒体であって、前記命令が、処理ユニットによって読み取られ実行されると、動作を実施し、前記命令が、
前記短距離ワイヤレスネットワーク内での測定関連通信の要求への自動応答を与えるためのコードと、
局(STA)からの測定関連通信の要求を受信するためのコードと、
受信した前記測定関連通信の前記要求への自動応答を、前記要求および前記自動応答の処理のための一様の遅延の直後に、前記局へ送信するためのコードであって、前記一様な遅延が、前記自動応答を提供可能な、ネットワーク内のどの要素においても一様であるコードと、
前記自動応答の生成のみを実施するためのコードと、
を含み、
前記自動応答は、位置特定のためのラウンドトリップタイム(RTT)を生成するためのものであることを特徴とする非一時的コンピュータ可読記録媒体。
【請求項２７】
前記命令が、統一リソース識別子(URI)を前記自動応答とともに含めるためのコードをさらに含み、
前記URIが、追加ロケーション情報を含むリソースに関連付けられた、請求項26に記載の非一時的コンピュータ可読記録媒体。
【請求項２８】
前記自動応答が、前記自動応答を与えることが可能な、前記短距離ワイヤレスネットワーク内の対応する要素のロケーションに関連付けられた(x,y)座標ペアを含む、請求項26に記載の非一時的コンピュータ可読記録媒体。
【請求項２９】
前記自動応答が、前記測定関連通信の前記要求の確認応答(ACK)を含み、
前記ACKが前記測定関連通信を形成する、請求項26に記載の非一時的コンピュータ可読記録媒体。